(57)【要約】【課題】第１の文字種に対応した認識処理が設定されている記入欄を有する帳票を読み取って、該記入欄に記入された文字の認識処理を行う際に、記入欄に記入された文字の文字種が第１の文字種でない場合、ユーザが帳票に記入された文字を確認して、第１の文字種で入力する場合と比較して、少ない操作で認識結果を訂正することが可能である。【解決手段】変換部４３は、記入欄に記入された文字を、記入欄に設定されている文字認識辞書以外の、ユーザにより選択された文字認識辞書を用いて認識した後に、記入欄に設定されている文字種に変換する。受付部４２は、記入欄に入力されている認識対象画像が、記入欄に設定されている文字種以外の文字種である旨を、ユーザから受け付ける。【選択図】図３
2020155006.tif 000002
【特許請求の範囲】
【請求項１】
第１の文字種に対応した認識処理が設定されている記入欄に記入された前記第１の文字種以外の第２の文字種の文字を、前記第２の文字種として認識した後に前記第１の文字種に変換する変換手段を備えた情報処理装置。
【請求項２】
前記記入欄に記入されている文字の文字種が、前記第２の文字種である旨を、ユーザから受け付ける受付手段をさらに備えた請求項１記載の情報処理装置。
【請求項３】
前記変換手段は、複数の記入欄において、それぞれ記入された前記第２の文字種の複数の文字を一括して前記第２の文字種として認識した後に、前記第１の文字種に変換する機能を有する請求項１又は２記載の情報処理装置。
【請求項４】
前記変換手段による前記第１の文字種への変換を行うか否かを記入欄に記入された文字毎に選択を受け付ける選択受付手段をさらに備え、
前記変換手段は、前記選択受付手段により選択を受け付けた文字に対して、前記第１の文字種への変換を行う請求項３記載の情報処理装置。
【請求項５】
第１の文字種に対応した認識処理が設定されている記入欄に記入された前記第１の文字種以外の第２の文字種の文字を、前記第２の文字種として認識した後に前記第１の文字種に変換する変換ステップをコンピュータに実行させるためのプログラム。
【発明の詳細な説明】
【技術分野】
【０００１】
本発明は、情報処理装置およびプログラムに関する。
【背景技術】
【０００２】
特許文献１には、文字パターンとその文字パターンを囲むレイアウト情報とを有する書類から少なくとも文字パターンの画像信号を入力する入力手段と、書類上のレイアウト情報をコード情報として格納する格納手段と、格納手段に格納されたコード情報から得られるフォーマット情報に基づいて入力手段で入力された文字パターンの画像信号を切り出して文字パターンを認識して文字コード情報として格納する認識手段と、認識手段により認識されて格納された文字コード情報から変換された文字パターンと格納手段に格納されたコード情報から変換されたレイアウト情報とを画面上に表示し、文字パターンに対して部分的に候補文字群を表示する表示手段と、表示手段に表示されたレイアウト情報と文字パターンとに基づいて表示された候補文字群から所望の文字を指定することによって文字パターンを少なくとも部分的に修正する修正手段とを備えたことを特徴とする文字パターン認識修正装置が開示されている。
【先行技術文献】
【特許文献】
【０００３】
【特許文献１】特許第２６６７９５８号公報
【発明の概要】
【発明が解決しようとする課題】
【０００４】
帳票の記入欄には、予めひらがなやカタカナ等の文字種が指定され、該記入欄を読み取る文字認識の辞書も該文字種に応じて設定されていることがある。しかし、ひらがなによる記入が指定されているにも関わらず、記入者が誤ってカタカナで記入してしまうことがあり、その場合、カタカナをひらがなに対応した文字の認識辞書を利用して、認識処理を行うため、認識結果が誤ったものとなってしまう。その際、認識結果を確認する確認訂正者が、帳票に記入された文字を確認し、その文字を指定された文字種で入力しなければならなく、その作業が煩雑であった。
【０００５】
本発明の目的は、第１の文字種に対応した認識処理が設定されている記入欄を有する帳票を読み取って、該記入欄に記入された文字の認識処理を行う際に、記入欄に記入された文字の文字種が第１の文字種でない場合、ユーザが帳票に記入された文字を確認して、第１の文字種で入力する場合と比較して、少ない操作で認識結果を訂正することが可能な情報処理装置およびプログラムを提供することである。
【課題を解決するための手段】
【０００６】
請求項１に係る本発明は、第１の文字種に対応した認識処理が設定されている記入欄に記入された前記第１の文字種以外の第２の文字種の文字を、前記第２の文字種として認識した後に前記第１の文字種に変換する変換手段を備えた情報処理装置である。
【０００７】
請求項２に係る本発明は、前記記入欄に記入されている文字の文字種が、前記第２の文字種である旨を、ユーザから受け付ける受付手段をさらに備えた請求項１記載の情報処理装置である。
【０００８】
請求項３に係る本発明は、前記変換手段は、複数の記入欄において、それぞれ記入された前記第２の文字種の複数の文字を一括して前記第２の文字種として認識した後に、前記第１の文字種に変換する機能を有する請求項１又は２記載の情報処理装置である。
【０００９】
請求項４に係る本発明は、前記変換手段による前記第１の文字種への変換を行うか否かを記入欄に記入された文字毎に選択を受け付ける選択受付手段をさらに備え、前記変換手段は、前記選択受付手段により選択を受け付けた文字に対して、前記第１の文字種への変換を行う請求項３記載の情報処理装置である。
【００１０】
請求項５に係る本発明は、第１の文字種に対応した認識処理が設定されている記入欄に記入された前記第１の文字種以外の第２の文字種の文字を、前記第２の文字種として認識した後に前記第１の文字種に変換する変換ステップをコンピュータに実行させるためのプログラムである。
【発明の効果】
【００１１】
請求項１に係る本発明によれば、第１の文字種に対応した認識処理が設定されている記入欄を有する帳票を読み取って、該記入欄に記入された文字の認識処理を行う際に、記入欄に記入された文字の文字種が第１の文字種でない場合、ユーザが帳票に記入された文字を確認して、第１の文字種で入力する場合と比較して、少ない操作で認識結果を訂正することが可能な情報処理装置を提供することができる。
【００１２】
請求項２に係る本発明によれば、第１の文字種に対応した認識処理が設定されている記入欄を有する帳票を読み取って、該記入欄に記入された文字の認識処理を行う際に、記入欄に記入された文字の文字種が第１の文字種でない場合、ユーザが帳票に記入された文字を確認して、第１の文字種で入力する場合と比較して、少ない操作で認識結果を訂正することが可能な情報処理装置を提供することができる。
【００１３】
請求項３に係る本発明によれば、第１の文字種に対応した認識処理が設定されている記入欄を有する帳票を読み取って、該記入欄に記入された文字の認識処理を行う際に、複数の記入欄に記入された文字の文字種が第１の文字種でない場合、ユーザが帳票に記入された文字を確認して、複数の記入欄のそれぞれにおいて第１の文字種で入力する場合と比較して、少ない操作で認識結果を訂正することが可能な情報処理装置を提供することができる。
【００１４】
請求項４に係る本発明によれば、第１の文字種に対応した認識処理が設定されている記入欄を有する帳票を読み取って、該記入欄に記入された文字の認識処理を行う際に、複数の記入欄に記入された文字のうち少なくとも１つの記入欄に記入された文字の文字種が第１の文字種でない場合、ユーザが帳票に記入された文字を確認して、第１の文字種でない記入欄に記入された文字種を、第１の文字種で入力する場合と比較して、少ない操作で認識結果を訂正することが可能な情報処理装置を提供することができる。
【００１５】
請求項５に係る本発明によれば、第１の文字種に対応した認識処理が設定されている記入欄を有する帳票を読み取って、該記入欄に記入された文字の認識処理を行う際に、記入欄に記入された文字の文字種が第１の文字種でない場合、ユーザが帳票に記入された文字を確認して、第１の文字種で入力する場合と比較して、少ない操作で認識結果を訂正することが可能なプログラムを提供することができる。
【図面の簡単な説明】
【００１６】
【図１】本発明の一実施形態の情報処理システムの構成を示す図である。
【図２】本発明の一実施形態におけるデータ管理サーバ１２のハードウェア構成を示すブロック図である。
【図３】本発明の一実施形態におけるデータ管理サーバ１２の機能構成を示すブロック図である。
【図４】帳票の記入欄の一例を示す図である。
【図５】（Ａ）は、画像形成装置１４においてスキャンされた認識対象画像を示す図であって、（Ｂ）は、データ管理サーバ１２による文字認識結果を示す図である。
【図６】本発明の一実施形態における端末装置１０の表示画面例を示す図である。
【図７】本発明の一実施形態における端末装置１０の表示画面例を示す図である。
【図８】本発明の一実施形態における端末装置１０の表示画面例を示す図である。
【図９】本発明の一実施形態における端末装置１０の表示画面例を示す図である。
【図１０】本発明の一実施形態における端末装置１０の表示画面の変形例１を示す図である。
【図１１】本発明の一実施形態における端末装置１０の表示画面の変形例１を示す図である。
【図１２】本発明の一実施形態における端末装置１０の表示画面の変形例１を示す図である。
【図１３】本発明の一実施形態における端末装置１０の表示画面の変形例２を示す図である。
【図１４】本発明の一実施形態における端末装置１０の表示画面の変形例２を示す図である。
【図１５】本発明の一実施形態における端末装置１０の表示画面の変形例２を示す図である。
【図１６】本発明の一実施形態における端末装置１０の表示画面の変形例３を示す図である。
【図１７】本発明の一実施形態における端末装置１０の表示画面の変形例３を示す図である。
【図１８】本発明の一実施形態における端末装置１０の表示画面の変形例３を示す図である。
【発明を実施するための形態】
【００１７】
次に、本発明の実施の形態について図面を参照して詳細に説明する。
【００１８】
図１は本発明の一実施形態の情報処理システムのシステム構成を示す図である。
【００１９】
本発明の一実施形態の情報処理システムは、図１に示されるように、ネットワーク１により相互に接続された端末装置１０，１１、情報処理装置であるデータ管理サーバ１２、画像形成装置１４により構成される。
【００２０】
本実施形態の情報処理システムは、手書きの帳票等の書類をテキストデータに変換してデータ管理するためのシステムである。
【００２１】
画像形成装置１４は、ユーザのオフィス等に設定された、印刷（プリント）機能、スキャン機能、複写（コピー）機能、ファクシミリ機能等の複数の機能を有するいわゆる複合機と呼ばれる装置である。本実施形態では、画像形成装置１４は、入力者であるユーザにより手書きの帳票等の書類がスキャンされる（読み取られる）ことにより電子化して帳票画像のデータに変換する画像読取装置として機能する。
【００２２】
データ管理サーバ１２には、データエントリーシステムが備えられ、帳票画像のデータに対してＯＣＲ（Ｏｐｔｉｃａｌ  Ｃｈａｒａｃｔｅｒ  Ｒｅａｄｉｎｇ）処理である文字認識処理を実行することによりテキストデータに変換して格納することができるよう構成されている。
【００２３】
端末装置１０は、帳票画像のデータと、この帳票画像のデータに対して文字認識処理が実行されてテキストデータに変換されたデータの確認作業を行って確認訂正を行う確認訂正者であるユーザにより操作されるパーソナルコンピュータ等の装置である。
【００２４】
なお、本実施形態では、入力者であるユーザが画像形成装置１４を操作して帳票をスキャンして電子化された帳票画像のデータをデータ管理サーバ１２に格納する場合を用いて説明するが、スマートフォン（以下スマホと略す。）等の携帯端末装置により帳票を撮像して取得された帳票の写真画像のデータを格納する場合にも適用可能である。
【００２５】
次に、本実施形態の情報処理システムにおけるデータ管理サーバ１２のハードウェア構成を図２に示す。
【００２６】
データ管理サーバ１２は、図２に示されるように、ＣＰＵ１６、メモリ１７、ハードディスクドライブ（ＨＤＤ）等の記憶装置１８、ネットワーク１を介して外部の装置等との間でデータの送信及び受信を行う通信インタフェース（ＩＦ）１９、タッチパネル又は液晶ディスプレイ並びにキーボードを含むユーザインタフェース（ＵＩ）装置２０を有する。これらの構成要素は、制御バス２１を介して互いに接続されている。
【００２７】
ＣＰＵ１６は、メモリ１７または記憶装置１８に格納された制御プログラムに基づいて所定の処理を実行して、データ管理サーバ１２の動作を制御する。なお、本実施形態では、ＣＰＵ１６は、メモリ１７または記憶装置１８内に格納された制御プログラムを読み出して実行するものとして説明するが、当該プログラムをＣＤ−ＲＯＭ等の記憶媒体に格納してＣＰＵ１６に提供することも可能である。
【００２８】
図３は、上記の制御プログラムが実行されることにより実現されるデータ管理サーバ１２の機能構成を示すブロック図である。
【００２９】
本実施形態のデータ管理サーバ１２は、図３に示されるように、データ通信部３１と、制御部３２と、データ記憶部３３とを備えている。
【００３０】
データ通信部３１は、ネットワーク１を介して端末装置１０，１１、画像形成装置１４との間でデータを送受信する。
【００３１】
データ記憶部３３は、ひらがなに対応した文字を認識するための辞書であるひらがな認識辞書５１と、カタカナに対応した文字を認識するための辞書であるカタカナ認識辞書５２と、漢字に対応した文字を認識するための辞書である漢字認識辞書、ヘボン式ローマ字に対応した文字を認識するための辞書であるローマ字認識辞書、アラビア数字に対応した文字を認識するための辞書であるアラビア数字認識辞書、漢数字に対応した文字を認識するための辞書である漢数字認識辞書等の文字認識辞書を格納している。また、上述の文字認識辞書間で相互に変換可能な変換テーブル５３を格納している。具体的には、例えばひらがなとカタカナとを相互に変換可能な変換テーブル等を格納している。
【００３２】
データ管理サーバ１２は、制御プログラムを制御部３２において実行することにより、認識部４０、設定部４１、受付部４２、変換部４３、表示制御部４４として機能する。
【００３３】
認識部４０は、記入欄に記入された帳票画像のデータを、文字認識辞書を用いて文字認識する。
【００３４】
変換部４３は、認識部４０により文字認識された帳票画像のデータをテキストデータに変換する。
【００３５】
設定部４１は、記入欄毎に、認識部４０により文字認識する際に用いる文字種を設定する。ここで、文字種とは、例えばひらがな、カタカナ、漢字、ヘボン式ローマ字、アラビア数字、漢数字、記号、大文字と小文字、全角と半角等の文字の種類に関する情報である。つまり、設定部４１は、記入欄毎に、記入欄に記入された文字に対して文字認識する際に用いる文字認識辞書を設定する。
【００３６】
具体的には、例えばひらがな認識辞書５１が設定された記入欄に記入された文字に対しては、ひらがな認識辞書５１を用いて文字認識処理が実行される。また、カタカナ認識辞書５２が設定された記入欄に記入された文字に対しては、カタカナ認識辞書５２を用いて文字認識処理が実行される。これにより、記入欄毎に、文字認識辞書を設定しない場合と比較して、文字認識精度が向上され、文字認識速度も速くなる。
【００３７】
また、受付部４２は、記入欄に記入されている認識対象画像が、記入欄に設定されている文字種以外の文字種である旨を、ユーザから受付ける。また、受付部４２は、変換部４３による変換を行うか否かを、記入欄毎に選択を受け付ける選択受付手段として機能する。
【００３８】
変換部４３は、記入欄に記入された文字を、記入欄に設定されている文字認識辞書以外の、受付部４２により受け付けられた文字種の文字認識辞書を用いて認識した後に、記入欄に設定されている文字種に変換する。具体的には、例えば、ひらがな認識辞書５１が設定された記入欄に記入されたカタカナを、受付部４２によりカタカナ認識する選択を受け付けることにより、カタカナ認識辞書５２を用いて認識した後に、変換テーブル５３を用いて、記入欄に設定されているひらがなに変換する。
【００３９】
また、変換部４３は、複数の記入欄に記入された文字を、記入欄に設定されている文字認識辞書以外の、ユーザにより受け付けられた文字種の文字認識辞書を用いて一括認識した後に、記入欄に設定されている文字種に一括変換する。
【００４０】
そして、変換部４３は、受付部４２により選択を受け付けた記入欄に記入された文字を、記入欄に設定されている文字認識辞書以外の、ユーザにより選択された文字種の文字認識辞書を用いて認識した後に、記入欄に設定されている文字種に変換する。
【００４１】
表示制御部４４は、端末装置１０の表示画面を制御する。
【００４２】
図４は、帳票の記入欄の一例を示す図である。各記入欄に手書きで記入された帳票は、画像形成装置１４を用いてスキャンされることにより帳票画像のデータにデータ化されて、データ管理サーバ１２へ送信される。
【００４３】
図４に示すように、帳票の記入欄５４〜５６には、それぞれ認識部４０により文字認識される、ひらがなやカタカナや漢字等の文字種が設定されている。つまり、記入欄５４〜５６に記入された文字を認識するための文字認識辞書がそれぞれ設定されている。
【００４４】
ここで、記入欄５４に示すように、ひらがな認識辞書５１が設定された記入欄５４にカタカナで文字が記入されると、記入欄５４に記入された文字（以下、認識対象画像と記す）がひらがなに対応したひらがな認識辞書５１を用いて文字認識される。具体的には、記入欄５４に記入された「フジタロウ」に対して、ひらがな認識辞書５１を用いてひらがな認識される。このため、図５（Ａ）に示すように認識対象画像「フジタロウ」に対して、ひらがな認識辞書５１の中から近似するひらがなが抽出されて、図５（Ｂ）に示すように例えば「つじすこや」が文字認識結果として表示される。
【００４５】
次に、データ管理サーバ１２において、帳票画像のデータに対して文字認識され、データエントリーシステムのデータとして格納する際の確認訂正者であるユーザの端末装置１０の表示画面例について図６〜図９に基づいて詳述する。
【００４６】
ユーザは、端末装置１０の表示画面上で、認識対象画像と文字認識結果を比較して、データを編集して格納することが可能である。具体的には、図６に示すように修正欄６１において文字認識結果を手入力して、確定ボタン６２をチェック入力することにより、文字認識結果を修正することが可能である。なお、このとき端末装置１０の表示画面上に警告を表示するようにしてもよい。具体的には、例えば記入された記入欄は「ひらがな」に制限されているため、文字認識結果は「ひらがな」による認識結果が表示されている旨や、文字認識結果を「ひらがな」で訂正するよう促す表示をするようにしてもよい。
【００４７】
また、ユーザは、端末装置１０の表示画面上で、認識対象画像と文字認識結果を比較して、文字認識結果が誤っている場合には、図６に示すような変換ボタン６３を押下する。すると、図７に示すように文字種選択画面６４が表示される。
【００４８】
そして、ユーザは、認識対象画像として認識されている文字種を選択する。具体的には、図８に示すように、認識対象画像として認識されている文字種であるカタカナのボタン６５が選択され、変換ボタン６６が押下されると、図９に示すように、認識対象画像であるカタカナの「フジタロウ」がカタカナ認識辞書５２を用いて文字認識され、変換テーブル５３を用いて、記入欄５４に設定されているひらがなの「ふじたろう」に自動変換される。すなわち、認識対象画像が、記入欄５４に設定されていない、ユーザにより選択されたカタカナのカタカナ認識辞書５２を用いて認識され、変換テーブル５３を用いてひらがなに変換されて表示される。そして、変換された「ふじたろう」が、データエントリーシステムのデータとして格納される。
【００４９】
［変形例１］
次に、本実施形態の変形例１について、図１０〜図１２に基づいて説明する。
【００５０】
変形例１では、複数の認識対象画像を端末装置１０の表示画面上で一括して認識した後に、一括して変換する例について説明する。
【００５１】
具体的には、ひらがな認識辞書５１が設定された記入欄５４に「フジタロウ」、「フジカナコ」が記入されている場合には、端末装置１０の表示画面上には、複数の認識対象画像「フジタロウ」、「フジカナコ」と、ひらがな認識辞書５１を用いてそれぞれ認識された「つじすこや」、「つじかさつ」が文字認識結果として同時に表示される。つまり、図１０に示すように認識対象画像「フジタロウ」、「フジカナコ」に対して、それぞれひらがな認識辞書５１の中から近似するひらがなが抽出されて、例えば「つじすこや」、「つじかさつ」が文字認識結果として表示される。
【００５２】
表示されている文字認識結果が誤っていて自動変換する場合には、ユーザは、図１１に示すように、自動変換する認識対象画像の自動変換選択ボタン７１をチェック入力して選択する。また、表示されている文字認識結果が全て誤っている場合には、一括変換ボタン７３をチェック入力することにより全ての認識対象画像に対応する自動変換選択ボタン７１がチェック入力され、認識対象画像として表示されている文字種であるカタカナのボタン６５が選択されて変換ボタン６６が押下されることにより、全ての認識対象画像を一括して変換することができる。
【００５３】
つまり、ユーザは、認識対象画像として認識されている文字種であるカタカナのボタン６５が選択され、変換ボタン６６が押下されると、図１２に示すように、記入欄に記入された認識対象画像であるカタカナの「フジタロウ」と「フジカナコ」を、それぞれカタカナのボタン６５において選択されたカタカナ認識辞書５２を用いて一括してカタカナとして認識した後に、変換テーブル５３を用いて、カタカナとして認識された文字を、ひらがなに一括して自動変換する。すなわち、ひらがな認識辞書５１が設定された記入欄５４に記入された認識対象画像が、ユーザにより選択されたカタカナ認識辞書５２を用いて認識され、変換テーブル５３を用いてひらがなに変換される。そして、変換された「ふじたろう」と「ふじかなこ」の確定ボタン６２がそれぞれチェック入力されると、変換された「ふじたろう」と「ふじかなこ」がデータエントリーシステムのデータとして格納される。
【００５４】
［変形例２］
次に、本実施形態の変形例２について、図１３〜図１５に基づいて説明する。
【００５５】
変形例２では、認識対象画像の自動変換処理方法をユーザが選択して、端末装置１０の表示画面上で変換する例について説明する。
【００５６】
具体的には、ひらがな認識辞書５１が設定された記入欄５４に「フジタロウ」が記入されている場合には、図１３に示すように認識対象画像「フジタロウ」に対して、ひらがな認識辞書５１の中から近似するひらがなが抽出されて、例えば「つじすこや」が文字認識結果として表示される。
【００５７】
ユーザは、端末装置１０の表示画面上で、認識対象画像と文字認識結果を比較して、修正欄６１において修正し、確定ボタン６２にチェック入力することにより修正することが可能である。
【００５８】
また、端末装置１０の表示画面上には、図１３に示すように自動変換処理方法選択画面７６が表示される。具体的には、カタカナ認識ひらがな変換、ひらがな認識カタカナ変換、カタカナ認識ヘボン式ローマ字変換、ひらがな認識ヘボン式ローマ字変換等の自動変換処理を行う際の自動変換処理方法を選択する自動変換処理方法選択画面７６が表示される。ユーザは、端末装置１０の表示画面上で、認識対象画像と文字認識結果を比較して、変換処理方法を選択することができる。
【００５９】
つまり、表示されている文字認識結果が誤っていて自動変換処理を実行する場合には、ユーザは、図１４に示すように、自動変換処理方法選択画面７６において自動変換処理を実行する、認識対象画像として認識されている文字種であるカタカナを認識するために「カタカナ認識ひらがな変換」ボタン７７を選択する。そして、変換ボタン６６が押下されると、図１５に示すように、認識対象画像「フジタロウ」がカタカナ認識辞書５２を用いて文字認識されて、変換テーブル５３を用いてひらがなの「ふじたろう」に自動変換される。すなわち、認識対象画像がカタカナ認識辞書５２を用いて文字認識され、変換テーブル５３を用いてひらがなに変換されて修正欄６１に表示される。そして、確定ボタン６２にチェック入力されると、ひらがなに変換された「ふじたろう」がデータエントリーシステムのデータとして格納される。
【００６０】
［変形例３］
次に、本実施形態の変形例３について、図１６〜図１８に基づいて説明する。
【００６１】
変形例３では、複数の認識対象画像に対して、自動変換処理方法をユーザが選択して、選択された自動変換処理方法により、選択された認識対象画像に対して端末装置１０の表示画面上で変換する例について説明する。
【００６２】
具体的には、ひらがな認識辞書５１が設定された記入欄５４に「フジタロウ」と「やまだいちろう」が記入されている場合には、端末装置１０の表示画面上には、図１６に示すように、複数の認識対象画像「フジタロウ」、「やまだいちろう」と、ひらがな認識辞書５１を用いてそれぞれ認識された「つじすこや」、「やまだいちろう」が文字認識結果として同時に表示される。つまり、認識対象画像「フジタロウ」と「やまだいちろう」に対して、それぞれひらがな認識辞書５１の中から近似するひらがなが抽出されて、例えば「つじすこや」と「やまだいちろう」が文字認識結果として表示される。
【００６３】
また、端末装置１０の表示画面上には、図１６に示すように自動変換処理方法選択画面７６が表示され、ユーザは、端末装置１０の表示画面上で、複数の認識対象画像と、それらの認識対象画像の文字認識結果をそれぞれ比較して、変換処理方法を選択することができる。
【００６４】
つまり、複数の認識対象画像のうち少なくとも一つの認識対象画像の文字認識結果が誤っている場合には、ユーザは、図１７に示すように、自動変換処理を実行する認識対象画像の自動変換選択ボタン７１を選択してチェック入力する。そして、自動変換選択ボタン７１により選択された認識対象画像を変換する自動変換処理方法を選択する。すなわち、自動変換選択ボタン７１により選択された認識対象画像に対して自動変換処理を実行する、認識対象画像として認識されている文字種であるカタカナを文字認識するために「カタカナ認識ひらがな変換」ボタン７７が選択され、変換ボタン６６が押下されると、自動変換選択ボタン７１により選択された認識対象画像「フジタロウ」がカタカナ認識辞書５２を用いて文字認識されて、変換テーブル５３を用いてひらがなの「ふじたろう」に自動変換される。
【００６５】
すなわち、自動変換選択ボタン７１により選択された認識対象画像がカタカナ認識辞書５２を用いてカタカナ認識され、変換テーブル５３を用いてひらがなに変換されて表示される。なお、ひらがな認識辞書５１が設定された記入欄に記入された認証対象画像「やまだいちろう」は、文字認識結果として「やまだいちろう」と正しく認識されており、自動変換選択ボタン７１にチェック入力しない。そして、図１８に示すように、確定ボタン６２にチェック入力されて変換ボタン６６が押下されることにより、文字認識結果である「やまだいちろう」と、変換された文字認識結果である「ふじたろう」がデータエントリーシステムのデータとして格納される。
【００６６】
なお、上記実施形態では、ひらがなとカタカナ間の変換処理を用いて説明したが、本発明はこれに限定されるものではなく、ひらがなとローマ字、カタカナとローマ字、アラビア数字と漢数字、大文字と小文字、全角と半角等の文字種間の変換処理においても同様に本発明を適用することができるものである。
【００６７】
また、上記実施形態では、データ管理サーバ１２において文書認識処理を実行する場合を用いて説明したが、本発明はこれに限定されるものではなく、画像形成装置１４や端末装置１０，１１においてそれぞれ文書認識処理を実行する場合においても同様に本発明を適用することができるものである。
【００６８】
また、スマートフォン、タブレット端末装置等の携帯情報端末装置等においても本発明は同様に適用可能である。
【００６９】
また、実施形態において、データ管理サーバ１２によって実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータが読み取り可能な記録媒体に記憶した状態で提供されてもよい。また、これらのプログラムは、インターネットなどのネットワーク経由でダウンロードされてもよい。
【符号の説明】
【００７０】
１    ネットワーク
１０，１１    端末装置
１２    データ管理サーバ
１４    画像形成装置
１６    ＣＰＵ
１７    メモリ
１８    記憶装置
１９    通信インタフェース（ＩＦ）
２０    ユーザインタフェース（ＵＩ）装置
３１    データ通信部
３２    制御部
３３    データ記憶部
４０    認識部
４１    設定部
４２    受付部
４３    変換部
４４    表示制御部
【図１】
2020155006.tif 000003
【図２】
2020155006.tif 000004
【図３】
2020155006.tif 000005
【図４】
2020155006.tif 000006
【図５】
2020155006.tif 000007
【図６】
2020155006.tif 000008
【図７】
2020155006.tif 000009
【図８】
2020155006.tif 000010
【図９】
2020155006.tif 000011
【図１０】
2020155006.tif 000012
【図１１】
2020155006.tif 000013
【図１２】
2020155006.tif 000014
【図１３】
2020155006.tif 000015
【図１４】
2020155006.tif 000016
【図１５】
2020155006.tif 000017
【図１６】
2020155006.tif 000018
【図１７】
2020155006.tif 000019
【図１８】
2020155006.tif 000020